(57)【要約】【課題】左右の両側壁の先端部を残して両側壁から底壁を横断する切り込みを容易に形成できるグレイジングチャンネル、パネル体、サッシ及びグレイジングチャンネル加工具を提供する。【解決手段】左右の両側壁１３ｄ、１３ｅを底壁１３ｃ側に倒して折り畳んだ状態で、一方の側壁１３ｄの先端部１７を残して一方の側壁１３ｄから底壁１３ｃに亘って形成した一方の切除部１９と、他方の側壁１３ｅの先端部１７を残して他方の側壁１３ｅから底壁１３ｃに亘って形成した他方の切除部２１とが対向して位置し、各切除部の側壁側端部２３を湾曲形状にしてあり且つ底壁１３ｃには一方の切除部１９と他方の切除部２１との間に残存部２５が設けてあり、残存部２５に張力を付与して切り込み４１を形成自在としてある。【選択図】図１
2014214424.tif 000002
【特許請求の範囲】
【請求項１】
左右の両側壁を底壁側に倒して折り畳んだ状態で、一方の側壁の先端部を残して一方の側壁から底壁に亘って形成した一方の切除部と、他方の側壁の先端部を残して他方の側壁から底壁に亘って形成した他方の切除部とが形成してあり、一方及び他方の切除部は対向して位置し、各切除部の側壁側端部を湾曲形状にしてあり且つ底壁には一方の切除部と他方の切除部との間に残存部が設けてあり、残存部は張力を付与することにより一方及び他方の切除部に亘る切り込みを形成自在としてあることを特徴とするグレイジングチャンネル。
【請求項２】
パネルと、パネルの周縁に取付けたグレイジングチャンネルとを備え、グレイジングチャンネルは請求項１に記載のグレイジングチャンネルであり、パネルの周縁に巻き付ける際にパネルの角部に対応する位置の残存部に張力を付与して切り込みを形成したことを特徴とするパネル体。
【請求項３】
請求項２に記載のパネル体を框又は枠に組み込んだことを特徴とするサッシ。
【請求項４】
グレイジングチャンネルの左右の両側壁を底壁側に倒して折り畳んだ状態で、グレイジングチャンネルの左右一方の側壁と底壁とを挟む押し刃と受け部と、位置決め部とを備え、位置決め部は押し刃と受け部との間にグレイジングチャンネルの左右の一方側を挿入したときに側壁と底壁の折り目部を当接するものであり、押し刃と受け部は、切除部を形成するものであり、切除部は一方の側壁の先端部を除く部分と、底壁の一方の側壁側部分に亘り、且つ、一方の側壁側先端部が湾曲形状であることを特徴とするグレイジングチャンネル加工具。
【請求項５】
グレイジングチャンネルの左右の両側壁を底壁から離れる側に倒して押し広げた状態でグレイジングチャンネルの左右の側壁と底壁を挟む押し刃と受け部と、保持部とを備え、保持部は、グレイジングチャンネルの先端部を保持するものであり、押し刃と受け部は、切除部を形成するものであり、切除部は一方の側壁の先端部を除く部分と、底壁と他方の側壁の先端部を除く部分に亘り、且つ、一方及び他方の側壁側先端部が湾曲形状であることを特徴とするグレイジングチャンネル加工具。
【発明の詳細な説明】
【技術分野】
【０００１】
本発明は、グレイジングチャンネル、パネル体、サッシ及びグレイジングチャンネル加工具に関する。
【背景技術】
【０００２】
特許文献１には、長手方向に所定間隔で切除部を形成したグレイジングチャンネルをパネルの周縁に取付けることが開示されている。この特許文献１に記載のグレージングチャンネの切除部は、グレイジングチャンネルの左右の両側壁の先端部を残して、両側壁から底壁を横断して形成してあるが、底壁と両側壁とで断面略コ字形状を成したままの状態でグレイジングチャンネルに切除部を形成している。
【先行技術文献】
【特許文献】
【０００３】
【特許文献１】特開平８−１３５３１９号公報
【発明の概要】
【発明が解決しようとする課題】
【０００４】
しかし、断面コ字形状の状態で左右の両側壁から底壁を横断する切除部を形成する場合、切除部分が３面に亘ることから、加工し難いという問題があった。
【０００５】
そこで、本発明は、左右の両側壁の先端部を残して両側壁から底壁を横断する切り込みを容易に形成できるグレイジングチャンネル、パネル体、サッシ及びグレイジングチャンネル加工具の提供を目的とする。
【課題を解決するための手段】
【０００６】
請求項１に記載の発明は、左右の両側壁を底壁側に倒して折り畳んだ状態で、一方の側壁の先端部を残して一方の側壁から底壁に亘って形成した一方の切除部と、他方の側壁の先端部を残して他方の側壁から底壁に亘って形成した他方の切除部とが形成してあり、一方及び他方の切除部は対向して位置し、各切除部の側壁側端部を湾曲形状にしてあり且つ底壁には一方の切除部と他方の切除部との間に残存部が設けてあり、残存部は張力を付与することにより一方及び他方の切除部に亘る切り込みを形成自在としてあることを特徴とするグレイジングチャンネルである。
【０００７】
請求項２に記載の発明は、パネルと、パネルの周縁に取付けたグレイジングチャンネルとを備え、グレイジングチャンネルは請求項１に記載のグレイジングチャンネルであり、パネルの周縁に巻き付ける際にパネルの角部に対応する位置の残存部に張力を付与して切り込みを形成したことを特徴とするパネル体である。
【０００８】
請求項３に記載の発明は、請求項２に記載のパネル体を框又は枠に組み込んだことを特徴とするサッシである。
【０００９】
請求項４に記載の発明は、グレイジングチャンネルの左右の両側壁を底壁側に倒して折り畳んだ状態で、グレイジングチャンネルの左右一方の側壁と底壁とを挟む押し刃と受け部と、位置決め部とを備え、位置決め部は押し刃と受け部との間にグレイジングチャンネルの左右の一方側を挿入したときに側壁と底壁の折り目部を当接するものであり、押し刃と受け部は、切除部を形成するものであり、切除部は一方の側壁の先端部を除く部分と、底壁の一方の側壁側部分に亘り、且つ、一方の側壁側先端部が湾曲形状であることを特徴とするグレイジングチャンネル加工具である。
【００１０】
請求項５に記載の発明は、グレイジングチャンネルの左右の両側壁を底壁から離れる側に倒して押し広げた状態でグレイジングチャンネルの左右の側壁と底壁を挟む押し刃と受け部と、保持部とを備え、保持部は、グレイジングチャンネルの先端部を保持するものであり、押し刃と受け部は、切除部を形成するものであり、切除部は一方の側壁の先端部を除く部分と、底壁と他方の側壁の先端部を除く部分に亘り、且つ、一方及び他方の側壁側先端部が湾曲形状であることを特徴とするグレイジングチャンネル加工具である。
【発明の効果】
【００１１】
請求項１に記載の発明では、グレイジングチャンネルを折り畳んだ状態で一方の切除部と他方の切除部を形成し、一方の切除部と他方の切除部との間の残存部は、手で引張たり、治具を用いて引き破るようにして張力を付与することにより、切り込みを形成する。これにより、両側壁の先端部を残して両側壁から底壁を横断する切り込みが容易に形成できる。
グレイジングチャンネルは両側壁を底壁側に倒して折り畳んだ状態で工場から搬出される場合には、両側壁を底壁から立ち上げるように広げることなく、折り畳んだ状態のまま加工できるから、作業性が良い。
グレイジングチャンネルの任意の位置に切り込みを形成できるので、パネルにグレイジングチャンネルを取付けながら切り込みを形成できるから、この点からも作業性が良い。
両側壁の先端部側の切除部は、湾曲形状としてあるので、グレイジングチャンネルが切除部から裂けるのを防止できる。
【００１２】
請求項２に記載の発明では、請求項１に記載の効果と同様な効果を奏するパネル体を提供できる。
【００１３】
請求項３に記載の発明では、請求項１に記載の効果と同様な効果を奏するサッシを提供できる。
【００１４】
請求項４に記載の発明では、請求項１に記載の効果を奏するグレイジングチャンネル加工具を提供できる。
また、グレイジングチャンネル加工具は、位置決め部を設けて、側壁の先端部を残した位置に押し刃を位置決めできるから、側壁の先端部を残した切除が容易にできる。
切除部は一方の側壁側端部を湾曲形状としてあるので、グレイジングチャンネルが切除部から裂けるのを防止できる。
【００１５】
請求項５に記載の発明では、左右の両側壁の先端部を残して両側壁から底壁を横断する切除部を容易に形成できるグレイジングチャンネル加工具を提供できる。
一回の操作で、一方の側壁から底壁を横断して他方の側壁に亘る切除部を形成できる。
切除部の両端部は湾曲形状としてあるので、グレイジングチャンネルが切除部から裂けるのを防止できる。
【図面の簡単な説明】
【００１６】
【図１】（ａ）は第１実施の形態にかかるグレイジングチャンネルに切除部を形成したときの斜視図であり、（ｂ）は切除部を形成したグレイジングチャンネルの側壁を立ち上げた状態を示す斜視図であり、（ｃ）切除部を形成したグレイジングチャンネルを押し広げて示す平面図である。
【図２】グレイジングチャンネルの側壁を立ち上げた状態を示す図であり、（ａ）は平面図、（ｂ）は側面図である。
【図３】パネルの周縁にグレイジングチャンネルを取付ける様子を示す斜視図である。
【図４】（ａ）はグレイジングチャンネルを挿入する前の第１実施の形態にかかるグレイジングチャンネル加工具の斜視図であり、（ｂ）はグレイジングチャンネルを挿入したときの第１実施の形態にかかるグレイジングチャンネル加工具の斜視図である。
【図５】第１実施の形態にかかるパネル体を備えたサッシの横断面図である。
【図６】図５に示すサッシをＡ−Ａ位置で切断して示す縦断面図である。
【図７】第２実施の形態にかかるグレイジングチャンネル加工具の斜視図である。
【図８】第３実施の形態にかかるグレイジングチャンネル加工具の斜視図である。
【図９】図８に示すグレイジングチャンネル加工具であって、（ａ）は押し刃の側面図、（ｂ）は押し刃の底面図、（ｃ）は受け部の平面図、（ｄ）は受け部の側面図、（ｅ）はグレイジングチャンネルの切除した部分を示す平面図である。
【図１０】本発明の変形例であり、切除部又は切り込みの形状の変形例を示す平面図である。
【発明を実施するための形態】
【００１７】
以下に、添付図面を参照して本発明の実施の形態を説明するが、まず、図１〜図６を参照して本発明の第１実施の形態について説明する。
図５及び図６に示すように、本実施の形態に係るサッシ１は、引き戸サッシであり、障子３と枠５とを備えており、障子３には框７の内周にパネル体９が取付けてある。
図３、図５及び図６に示すように、パネル体９は、パネル１１と、パネル１１の周縁の全周に取付けたグレイジングチャンネル１３とから構成されている。
【００１８】
グレイジングチャンネル１３は、図５及び図６に示すように、パネル１１に嵌めた状態では、パネル１１の端面に対向する底壁１３ｃと、パネル１１の見付け面に位置する左右の側壁１３ｄ、１３ｅを備えており、底壁１３ｃと左右の側壁１３ｄ、１３ｅとで断面略コ字形状を成している。左右の各側壁１３ｄ、１３ｅには、各先端部１７がパネルに密着する密着部になっている。このグレイジングチャンネル１３には、図２に示すように、水抜き穴１４が長手方向に間隔をあけて形成してあるが、図１及び図３においては、水抜き穴１４は省略している。
パネル１１に取付ける前のグレイジングチャンネル１３は、図１（ａ）に示すように、左右の側壁１３ｄ、１３ｅを底壁１３ｃ側に倒して折り畳んだ状態でロール１５状に巻いてある。このグレイジングチャンネル１３は、本実施の形態では引張り強度の低い樹脂材製であり、シリコン樹脂をベースにした防火性能の高いものが用いられている。
パネル１１に取付けるときのグレイジングチャンネル１３には、図１（ａ）〜（ｃ）に示すように、左右の両側壁１３ｄ、１３ｅを底壁１３ｃ側に倒して折り畳んだ状態で、一方側壁１３ｄの先端部１７を残して一方側壁１３ｄから底壁１３ｃに亘って形成した一方の切除部１９と、他方側壁１３ｅの先端部１７を残して他方側壁１３ｅから底壁１３ｃに亘って形成した他方の切除部２１とが形成してある。
【００１９】
各切除部１９、２１の各側壁側端部２３は湾曲形状にしてあり且つ底壁１３ｃには一方の切除部１９と他方の切除部２１との間に切除していない残存部２５が設けてある。換言すれば、残存部２５を残して、一方の切除部１９と他方の切除部２１とを形成している。各切除部１９、２１の両端部の湾曲は円弧である。
図１（ｃ）に示すように、一方側壁１３ｄと他方側壁１３ｅ間における残存部２５は寸法Ｍを有しており、寸法Ｍは好ましくは、２ｍｍ〜５ｍｍであり、所定の張力を付与することにより一方の切除部１９から他方の切除部２１に至る切り込みを形成できる寸法にしてある。
各切除部１９、２１の幅Ｗは、５ｍｍ〜１０ｍｍが好ましい。幅Ｗが５ｍｍよりも小さいと、各切除部１９、２１の端部の形状が滑らかな湾曲形状を形成し難く、一方側壁１３ｄ及び他方側壁１３ｅの先端部１７が破断しやすくなるからであり、１０ｍｍよりも大きいと框７とパネル１１間のシール性が低下するおそれがあるからである。
【００２０】
次に、図４を参照して、上述した切除部１９と他方の切除部２１とを形成するグレイジングチャンネル加工具２６について説明する。
グレイジングチャンネル加工具２６は、押し刃２７と、受け部２９と、位置決め部３１とを備えており、押し刃２７と、受け部２９は、各々柄３３ａ、３３ｂを握る操作により、軸部３５を回動して互いに開閉自在になっている。
押し刃２７は、グレイジングチャンネル１３の各切除部１９、２１の輪郭形状に形成して受け部２９に向けて突設してあり、湾曲部３７と、湾曲部３７に連続して互いに平行な直線状を成す直線部３９、３９とを備えている。
受け部２９には、内周に押し刃２７が嵌合する嵌合穴部４０が形成してあり、嵌合穴部４０の縁と押し刃２７とでグレイジングチャンネル１３を切除する。
位置決め部３１は、受け部２９の軸部３５側（基端側）に設けてあり、受け部２９の先端側を向いた壁である。この位置決め部３１は、図４（ｂ）に示すように、押し刃２７と受け部２９との間に折り畳んだ状態でグレイジングチャンネル１３の左右の一方側を挿入したときに、側壁１３ｄ又は１３ｅと底壁１３ｃの折り目部１３ｆを当接するものである。
【００２１】
次に、本実施の形態にかかるグレイジングチャンネル１３を取付けたパネル体９の製造について説明する。
図３に示すように、パネル体９はパネル１１を寝かせて置き、パネル１１の周縁の全周に亘ってグレイジングチャンネル１３を嵌めるが、以下の工程で行う。
図１（ａ）に示すように、グレイジングチャンネル１３は、一方側壁１３ｄと他方側壁１３ｅを底壁１３ｃ側に倒して折り畳んだ状態で巻いたロール１５にしてあり、このロール１５から、図３に示すように、グレイジングチャンネル１３の先端１３ａから、図１（ｂ）に示すように、一方側壁１３ｄと他方側壁１３ｅを底壁１３ｃから立てるようにして広げて、パネル１１の縁に嵌め、ロール１５を解きながらパネル１１の周縁に沿って順次嵌めていく（第１工程）。
【００２２】
パネル１１の角部１１ａでは、その位置に対応するグレイジングチャンネル１３の部分に、図４に示すように、グレイジングチャンネル加工具２６を用いて切除部１９、２１を形成する。
切除部１９、２１を形成するときには、パネル１１の角部１１ａに対応する位置でグレイジングチャンネル１３の一方側壁１３ｄと他方側壁１３ｅを底壁１３ｃ側に倒して折り畳んだ状態で、一方の側壁１３ｄと底壁１３ｃの折り目部１３ｆを、グレイジングチャンネル加工具２６の位置決め部３１に突き当てて受け部２９に載せ、グレイジングチャンネル加工具２６の柄３３ａ、３３ｂを握って、押し刃２７と受け部２９を嵌合させて一方側の切除部１９を形成する（第２工程）。
【００２３】
次に、他方側壁１３ｅと底壁１３ｃの折り目部１３ｆを、グレイジングチャンネル加工具２６の位置決め部３１に突き当てて受け部２９に載せ、グレイジングチャンネル加工具２６の柄３３ａ、３３ｂを握り、押し刃２７と受け部２９を嵌合させて他方側の切除部２１を形成すると共に、一方の切除部１９と他方の切除部２１との間に残存部２５を形成する。（第３工程）。
このようにして、図１（ａ）に示すように、一方の切除部１９と他方の切除部２１を形成したグレイジングチャンネル１３を図１（ｂ）に示すように一方側壁１３ｄと他方側壁１３ｅとを立ち上げた後、残存部２５を手で引きちぎったり、残存部２５の周囲を引張り、張力を与えることにより、一方の切除部１９及び他方の切除部２１に亘る切り込み４１を形成する（第４工程）。
【００２４】
その後、図３に示すように、切り込み４１をパネル１１の角部１１ａに配置して、パネル１１の角部１１ａで、グレイジングチャンネル１３の向きをパネル１１の周縁に沿う向きに折り曲げて、パネル１１に嵌め付けていく。
このように、各パネル１１の角部１１ａ毎に、上述した第２工程〜第４工程を行った、パネル１１の全周囲に亘って、グレイジングチャンネルを取付け、グレイジングチャンネルを切断した後端１３ｂを前端１３ａに付き合わせる。
【００２５】
本実施の形態にかかるグレイジングチャンネル１３、パネル体９、サッシ１及びグレイジングチャンネル加工具２６の作用及び効果について説明する。
図１及び図４に示すように、本実施の形態にかかるグレイジングチャンネル１３は、一方側壁１３ｄと他方側壁１３ｅを底壁１３ｃに倒して折り畳んだ状態で、一方の切除部１９と他方の切除部２１を形成し、一方の切除部１９と他方の切除部２１との間の残存部２５は、図３に示すように、手で引張たり、治具を用いて引き破るようにして張力を付与することにより、切り込み４１を形成する。これにより、一方側壁１３ｄ及び他方側壁１３ｅの各先端部１７を残して、両側壁１３ｄ、１３ｅから底壁１３ｃを横断する切り込み４１が容易に形成できる。
図１（ａ）に示すように、グレイジングチャンネル１３は、一方側壁１３ｄ及び他方側壁１３ｅを底壁１３ｃに倒して折り畳んだ状態で工場から搬出される場合には、各側壁１３ｄ、１３ｅを底壁１３ｃから立ち上げるように広げることなく、折り畳んだ状態のまま切除部１９、２１を形成する加工ができるから、作業性が良い。
グレイジングチャンネル１３は、任意の位置に切除部１９、２１を形成することで切除部１９、２１間に切り込み４１を形成できるので、パネル１１にグレイジングチャンネル１３を取付けながら切り込み４１を形成できるから、この点からも作業性が良い。
一方側壁１３ｄと他方側壁１３ｅの各先端部１７側の切除部１９、２１の端は、湾曲形状としてあるので、グレイジングチャンネル１３の各先端部１７が切除部１９、２１から裂けるのを防止できる。
【００２６】
また、本実施の形態にかかるグレイジングチャンネル加工具２６では、簡易な構成で上述した効果を奏するグレイジングチャンネル１３を加工できる。
また、グレイジングチャンネル加工具２６は、位置決め部３１を設けて、グレイジングチャンネル１３の一方側壁１３ｄと他方側壁１３ｅの先端部１７を残した位置に、押し刃２７を位置決めできるから、一方側壁１３ｄと他方側壁１３ｅの先端部１７を残した切除が容易にできる。
【００２７】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図７に、本発明の第２実施の形態にかかるグレイジングチャンネル加工具２６を示す。この第２実施の形態にかかるグレイジングチャンネル加工具２６は、２つの押し刃２７、２７を対向して設けたことが第１実施の形態と異なっている。このグレイジングチャンネル加工具２６には、各押し刃２７、２７に対向した位置に受け部２９を設けてあると共に受け部２９には各押し刃２７に対応する嵌合穴部４０が形成されている。受け部２９において、各押し刃２７、２７を回動する軸部３５側には、位置決め部３１が設けてある。
【００２８】
第２実施の形態にかかるグレイジングチャンネル加工具２６では、２つの押し刃２７、２７と、受け部２９との間に一方側壁１３ｄ及び他方側壁１３ｅを底壁１３ｃに倒して折り畳んだ状態のグレイジングチャンネル１３を対向する位置決め部３１、３１間に配置して、左右の各押し刃２７、２７を押し下げることにより、一方の切除部１９と他方の切除部２１と、残存部２５を形成する。
尚、この第２実施の形態にかかるグレイジングチャンネル加工具２６では、グレイジングチャンネル１３を押し刃２７、２７と受け部２９との間に配置した状態で、２つの押し刃２７を同時に押し下げて２つの切除部１９、２１を同時に形成しても良いし、一方の押し刃２７と他方の押し刃２７とを順次押し下げて、２つの切除部１９、２１を１つずつ形成しても良い。
【００２９】
この第２実施の形態では、グレイジングチャンネル１３は一回の装着で、図１に示す、２つの切除部１９、２１と、２つの切除部１９、２１間の残存部２５を形成することができる。
【００３０】
図８及び図９を参照して第３実施の形態にかかるグレイジングチャンネル加工具２６を説明する。
図９（ｃ）に示すように、この第３実施の形態にかかるグレイジングチャンネル加工具２６は、図９（ｃ）に二点鎖線で示すように、グレイジングチャンネル１３の一方側壁１３ｄと他方側壁１３ｅを底壁１３ｃから離れる側に倒して押し広げた状態で、図９（ｅ）に示す切除部４７を形成するものであり、図８及び図９に示すように、押し刃２７と、受け部２９と、受け部２９の左右に設けた保持部４３とを備えている。
押し刃２７は、図９（ａ）（ｂ）（ｃ）に示すように、押し広げたグレイジングチャンネル１３の一方側壁１３ｄから底壁１３ｃを横断して他方側壁１３ｅに至り且つ一方側壁１３ｄと他方側壁の各先端部１７、１７を残す長さとしてある。図８に示すように、押し刃２７は、軸部３３側の基端部２７ａとこれと反対側の先端部２７ｂとの各々に湾曲部３７を有している。
【００３１】
受け部２９は、図８及び図９（ｄ）に示すように、側面視台形形状を成し、台形の上底にグレイジングチャンネル１３の底壁１３ｃを載置して、台形の各斜辺側に一方側壁１３ｄと他方側壁１３ｅを配置している。受け部２９には押し刃２７に対応する嵌合穴部４０が形成されている。
保持部４３は、受け部２９の台形の斜辺側が開口した溝状であり、溝内にグレイジングチャンネル１３の各側壁１３ｄ、１３ｅの先端部１７を保持している。
押し刃２７と軸部３３との間の押し刃支持部５１及び受け部２９と軸部３３との間の受け部支持部５３には各々刃５５が形成されており、グレイジングチャンネル１３を切断可能にしてある。
【００３２】
この第３実施の形態にかかるグレイジングチャンネル加工具２６では、図９（ｄ）に示すように、グレイジングチャンネル１３の一方側壁１３ｄと他方側壁１３ｅを底壁１３ｃから離れる側に押し倒すようにして広げて、底壁１３ｃを受け部２９に載せ、柄３３ａ、３３ｂを握ることで、図９（ｅ）に示すように、先端部１７、１７を残し且つ一方の側壁１３ｄと底壁１３ｃと他方の側壁１３ｅに亘る切除部４７を形成する。
【００３３】
この第３実施の形態によれば、グレイジングチャンネル１３は一回の装着で、先端部１７、１７を残し且つ一方の側壁１３ｄと底壁１３ｃと他方の側壁１３ｅに亘る切除部４７を形成することができる。
また、グレイジングチャンネル１３の一方側壁１３ｄと他方側壁１３ｅを底壁１３ｃから離れる側に押し倒して押し広げた状態のまま切除部４７を形成するから、切除後に、パネル１１の外周にグレイジングチャンネル１３を装着するときに、押し広げた状態のままグレイジングチャンネル１３をパネル１１の縁に当てて装着できるので、パネル１１の周縁にグレイジングチャンネル１３の取付け作業が容易にできる。
第１実施の形態や第２実施の形態にかかるグレイジングチャンネル加工具２６と異なり、切除部４１を形成したときに、グレイジングチャンネルに残存部２５（図１参照）を形成しないから、グレイジングチャンネルに張力を付与して残存部２５に切り込みを形成する作業が不要であり、作業性が良い。
【００３４】
本発明は、上述した実施の形態に限らず、本発明の要旨を逸脱しない範囲で種々変形可能である。
例えば、切除部１９、２１及び切り込み４１の形状は、図１０（ａ）に示すように、側壁側端部を円弧状にしてカッター等により切り込みを帯状にしても良いし、図１０（ｂ）に示すように、切除部１９、２１を円形時にして切り込み４１をカッター等で線状に入れるものであっても良いし、図１０（ｃ）に示すように、残存部２５を形成しない切除部４７は全体を楕円形状にしたものであっても良い。尚、図１０（ａ）に示す切除部を形成する場合には、図１０（ｃ）の場合と同様に残存部２５を形成しないで全体を切除する切除部４７としても良い。
グレイジングチャンネル１３は、ロール１５から予め必要寸法を引き出して切断してから、切除部１９、２１、４７の加工とパネル１１への取付けを行っても良い。
切除部１９、２１、４７は、グレイジングチャンネル１３の水抜き穴１４からずれた位置に設けることに限らず、水抜き穴１４に一部重複して形成しても良い。
サッシは、ＦＩＸサッシとしてパネル体９を枠に取付けたものであっても良い。
グレイジングチャンネル１３は、一方側壁１３ｄ及び他方側壁１３ｅを底壁１３ｃ側に倒して折り畳んだり、底壁１３ｃから離れる側に倒して押し広げることのできるものであれば、硬質樹脂製であっても、軟質樹脂製であっても良い。
【符号の説明】
【００３５】
１    サッシ
７    框
９    パネル体
１１  パネル
１１ａ  角部
１３  グレイジングチャンネル
１３ｃ  底壁
１３ｄ  一方側壁
１３ｅ  他方側壁
１３ｆ  折り目部
１９    一方の切除部
２１    他方の切除部
２５    残存部
２６    グレイジングチャンネル加工具
２７    押し刃
２９    受け部
３１    位置決め部
４７    切除部
【図１】
2014214424.tif 000003
【図２】
2014214424.tif 000004
【図３】
2014214424.tif 000005
【図４】
2014214424.tif 000006
【図５】
2014214424.tif 000007
【図６】
2014214424.tif 000008
【図７】
2014214424.tif 000009
【図８】
2014214424.tif 000010
【図９】
2014214424.tif 000011
【図１０】
2014214424.tif 000012